(57)【要約】【課題】取り付け箇所に対する制約が少なく、取り扱いが容易なホットスティック支持具を提供する。【解決手段】本発明のホットスティック支持具１ａは、ホットスティック５０を把持可能に形成される把持部５と、この把持部５に連結される角度調整部６からなる保持手段２と、電柱の腕金５１に対して着脱自在に取り付けられる取付手段３ａと、保持手段２と取付手段３ａを連結する固定手段４を備えており、固定手段４は、基台１９に対して位置決め部材２６を介して保持手段２の支柱１５が着脱自在に連結される構造となっている。【選択図】図１
2019080466.tif 000002
【特許請求の範囲】
【請求項１】
円柱状若しくは円筒状をなす接続具が上面に立設されるとともに電柱の腕金を挟持可能に形成される取付手段と、
互いに平行をなすとともに間隔を可変に設置された一対の把持片を有するホットスティックの保持手段と、
半径方向に設けられた貫通孔に棒状の位置決め部材が抜出自在に挿設されるとともに前記接続具を内挿可能に形成されて前記保持手段の下部に設置される円筒状の支柱と、を備え、
前記接続具は、前記支柱に内挿された状態で前記貫通孔と連通し、かつ、前記位置決め部材の先端を抜出自在に位置決め孔が半径方向に設けられたことを特徴とするホットスティック支持具。
【請求項２】
前記位置決め部材を前記支柱の中心軸の方向へ付勢するバネを備え、
前記位置決め部材は、基端に板状の把持部が設けられたことを特徴とする請求項１に記載のホットスティック支持具。
【請求項３】
前記接続具は、前記支柱に内挿された際に、前記貫通孔に挿設された前記位置決め部材の先端を内挿可能に、その側面に前記位置決め孔が複数個設けられたことを特徴とする請求項１又は請求項２に記載のホットスティック支持具。
【請求項４】
前記保持手段は、一対の前記把持片に連結された角度調整部を備え、
この角度調整部は、
スタッド付きボールを有するボールジョイントと、
このボールジョイントを保持するとともに第１のハンドルが回動自在に設置された雲台と、
前記第１のハンドルの回動方向に応じて前記スタッド付きボールのボール部を押圧可能に前記雲台に内蔵された押付部材と、を備え、
前記雲台は、前記支柱が下部に設置され、
前記ボールジョイントは、前記ボール部に前記押付部材が押し付けられると回転不能になり、前記ボール部から前記押付部材が離れると回転可能となるように構成されたことを特徴とする請求項１乃至請求項３のいずれか１項に記載のホットスティック支持具。
【請求項５】
前記取付手段は、
側面視略「コ」の字状をなし、所定の間隔をあけて平行に配置されるとともに、上面に設置された連結板を介して互いに連結された一対の取付具と、
一対の前記取付具の間に掛け渡され、かつ、前記取付具の前面に設置された支持板と、
この支持板の中心部に設けられたネジ孔に螺合するネジ軸と、
先端面が平坦な円板状をなし、前記ネジ軸の先端に回動自在に取り付けられた状態で前記連結板の下方に配置されたパッドと、
前記ネジ軸を回転可能に、その後端に取り付けられた第２のハンドルと、を備え、
前記接続具が前記連結板の上面に立設されたことを特徴とする請求項１乃至請求項４のいずれか１項に記載のホットスティック支持具。
【請求項６】
前記取付手段は、前記腕金を挟持可能に形成される代わりに、前記電柱の側面を抱持可能に形成され、
固定ベルトと、この固定ベルトの端部を保持して前記電柱の側面に巻回される部分の長さを調節するベルト巻取部と前記電柱の側面に対する当接部が端部に設けられるとともに前記接続具が上面に立設されたベース部材と、
このベース部材の下方で前記電柱の側面へ当接可能に設置された当接具と、
この当接具が一端に連結されるとともに他端が前記ベース部材に連結された連結部材と、を備えたことを特徴とする請求項１乃至請求項４のいずれか1項に記載のホットスティック支持具。
【発明の詳細な説明】
【技術分野】
【０００１】
本発明は、間接活線作業においてホットスティック（間接活線工具）を高所作業車のサブブームや電柱に対して固定し、所定の姿勢を維持した状態で支持する支持具に係り、特に、取り付け箇所に対する制約が少なく、取り扱いが容易なホットスティック支持具に関する。
【背景技術】
【０００２】
高圧の架空配電線等の間接活線作業では、絶縁操作棒の先端に把持部が装着された工具（ホットスティック）が用いられるが、１人の作業者が複数のホットスティックを用いなければならない場合には、ホットスティックから手を放すことができないため、作業効率が著しく低下してしまうという課題があった。
【０００３】
このような課題に対処するべく、従来、間接活線工具を電柱や高所作業車のバケット等に固定する方法が検討されており、それに関し、既に幾つかの発明や考案が開示されている。例えば、特許文献１には、「工具固定具」という名称で、間接活線工具を高所作業車のバケット等に固定するための工具に関する発明が開示されている。
この発明に係る「工具固定具」は、把持部がスタッドに固定されたボールジョイントと、ボールジョイントを保持する雲台と、雲台が取付部を介して取り付けられる側面視「コ」の字状をなす固定具と、固定具の左右一対のコ字部材に掛け渡すように取り付けられる支持プレートずれ防止板と、ボールジョイントを回転不能に固定する角度調整ハンドルを備えた構造となっている。
このような構造であれば、間接活線工具を高所作業車のバケット等に対して確実に固定することができる。
【０００４】
また、特許文献２には、「間接活線工具支持具」という名称で、間接活線工具を電柱に固定するための工具に関する発明が開示されている。
この発明に係る「間接活線工具支持具」は、絶縁操作棒の基端部を支持するポケット部と分割リング部とヒンジ部とロック部を有する電柱装着部と、絶縁操作棒に装着される棒装着部と、電柱装着部と棒装着部を連結する連結部と、絶縁操作棒の基端部を支持する棒支持部を備えた構造となっている。
このような構造によれば、間接活線工具を電柱に対して容易に固定することが可能である。
【先行技術文献】
【特許文献】
【０００５】
【特許文献１】特開２０１６−３６１９９号公報
【特許文献２】特開２０１０−２３９７９４号公報
【発明の概要】
【発明が解決しようとする課題】
【０００６】
特許文献１に記載された発明では、高所作業車のバケット等に間接活線工具を一旦固定してしまうと、その状態を容易に解除できないという課題があった。また、障害物との干渉を避ける関係で間接活線工具の姿勢を容易に変更できない場合には、取り付け箇所が制限されるという課題があった。
【０００７】
特許文献２に記載された発明では、電柱に取り付けた後に間接活線工具の姿勢を変更することができないという課題があった。また、障害物がある場合には、電柱への取り付け箇所が制限されるという課題があった。
【０００８】
本発明はかかる従来の事情に対処してなされたものであって、取り付け箇所に対する制約が少なく、取り扱いが容易なホットスティック支持具を提供することを目的とする。
【課題を解決するための手段】
【０００９】
上記目的を達成するため、第１の発明に係るホットスティック支持具は、円柱状若しくは円筒状をなす接続具が上面に立設されるとともに電柱の腕金を挟持可能に形成される取付手段と、互いに平行をなすとともに間隔を可変に設置された一対の把持片を有するホットスティックの保持手段と、半径方向に設けられた貫通孔に棒状の位置決め部材が抜出自在に挿設されるとともに接続具を内挿可能に形成されて保持手段の下部に設置される円筒状の支柱と、を備え、接続具は、支柱に内挿された状態で貫通孔と連通し、かつ、位置決め部材の先端を抜出自在に位置決め孔が半径方向に設けられたことを特徴とするものである。
【００１０】
このような構造のホットスティック支持具においては、接続具と干渉しないように位置決め部材を支柱の貫通孔から引き出した状態で接続具が内挿されるように支柱を設置した後、貫通孔と位置決め孔が連通した状態で位置決め部材を貫通孔と位置決め孔に挿通させると、支柱と接続具が連結されるという作用を有する。また、貫通孔と位置決め孔に位置決め部材が挿通されている場合、位置決め部材を位置決め孔から引き抜くと、支柱と接続具の連結状態が解除されるという作用を有する。
【００１１】
また、第２の発明は、第１の発明において、位置決め部材を支柱の中心軸の方向へ付勢するバネを備え、位置決め部材は、基端に板状の把持部が設けられたことを特徴とするものである。
このような構造のホットスティック支持具においては、第１の発明の作用に加え、接続具と干渉しないように位置決め部材を支柱の貫通孔から引き出した状態で接続具が内挿されるように支柱を設置した後、貫通孔と位置決め孔が連通するように支柱を接続具に対して回転させると、位置決め部材がバネによって付勢されて支柱の中心軸に向かって移動し、その結果、位置決め部材の先端が位置決め孔に挿通されて支柱と接続具が連結されるという作用を有する。
【００１２】
第３の発明は、第１の発明又は第２の発明において、接続具は、支柱に内挿された際に、貫通孔に挿設された位置決め部材の先端を内挿可能に、その側面に位置決め孔が複数個設けられたことを特徴とするものである。
このような構造のホットスティック支持具においては、第１の発明又は第２の発明の作用に加えて、位置決め部材を介して支柱と接続具が連結される状態が複数存在するという作用を有する。
【００１３】
第４の発明は、第１の発明乃至第３の発明のいずれかにおいて、保持手段は、一対の把持片に連結された角度調整部を備え、この角度調整部は、スタッド付きボールを有するボールジョイントと、このボールジョイントを保持するとともに第１のハンドルが回動自在に設置された雲台と、第１のハンドルの回動方向に応じてスタッド付きボールのボール部を押圧可能に雲台に内蔵された押付部材と、を備え、雲台は、支柱が下部に設置され、ボールジョイントは、ボール部に押付部材が押し付けられると回転不能になり、ボール部から押付部材が離れると回転可能となるように構成されたことを特徴とするものである。
このような構造のホットスティック支持具においては、第１の発明乃至第３の発明のいずれかの発明の作用に加え、ホットスティックが所望の姿勢を保ったままで電柱の腕金に対して固定されるという作用を有する。
【００１４】
第５の発明は、第１の発明乃至第４の発明のいずれかにおいて、取付手段は、側面視略「コ」の字状をなし、所定の間隔をあけて平行に配置されるとともに、上面に設置された連結板を介して互いに連結された一対の取付具と、一対の取付具の間に掛け渡され、かつ、取付具の前面に設置された支持板と、この支持板の中心部に設けられたネジ孔に螺合するネジ軸と、先端面が平坦な円板状をなし、ネジ軸の先端に回動自在に取り付けられた状態で連結板の下方に配置されたパッドと、ネジ軸を回転可能に、その後端に取り付けられた第２のハンドルと、を備え、接続具が連結板の上面に立設されたことを特徴とするものである。
このような構造のホットスティック支持具においては、第１の発明乃至第４の発明のいずれかの発明の作用に加え、第２のハンドルを操作してパッドを移動させることにより、幅の異なる腕金に対しても安定した状態でホットスティックが固定されるという作用を有する。
【００１５】
第６の発明は、第１の発明乃至第４の発明のいずれかにおいて、取付手段は、腕金を挟持可能に形成される代わりに、電柱の側面を抱持可能に形成され、固定ベルトと、この固定ベルトの端部を保持して電柱の側面に巻回される部分の長さを調節するベルト巻取部と電柱の側面に対する当接部が端部に設けられるとともに接続具が上面に立設されたベース部材と、このベース部材の下方で電柱の側面へ当接可能に設置された当接具と、この当接具が一端に連結されるとともに他端がベース部材に連結された連結部材と、を備えたことを特徴とするものである。
このような構造のホットスティック支持具においては、第１の発明乃至第４の発明のいずれかの発明の作用に加え、ベルト巻取部で固定ベルトが電柱の側面に巻回される部分の長さを調節することにより、太さの異なる電柱に対しても安定した状態でホットスティックが固定されるという作用を有する。
【発明の効果】
【００１６】
第１の発明によれば、ホットスティックの保持手段と取付手段の連結及びその連結状態の解除が容易であり、電柱の腕金等にホットスティックを固定した後に、ホットスティックを一時的に移動させる必要が生じた場合でも、それらの固定状態を容易に解除できるため、その作業を効率よく行うことができる。
【００１７】
第２の発明によれば、ホットスティックの保持手段を取付手段に連結する作業が第１の発明よりもさらに容易であるため、電柱の腕金等にホットスティックを固定した後に、ホットスティックを一時的に移動させる必要が生じた場合でも、その作業を効率よく行うことができるという第１の発明の効果がより一層発揮される。
【００１８】
第３の発明によれば、ホットスティックの保持手段を取付手段に連結する作業が第２の発明に比べて格段に容易であるため、電柱の腕金等にホットスティックを固定した後に、ホットスティックを一時的に移動させる作業を第２の発明よりもさらに効率よく行うことができる。
【００１９】
第４の発明によれば、電柱の腕金等にホットスティックを固定する際に、ホットスティックを所望の姿勢にすることができるため、取り付け箇所に対する制約が少ないという効果を有する。
【００２０】
第５の発明によれば、第１の発明乃至第４の発明のいずれかの発明の効果に加え、幅の異なる複数種類の腕金に対してもホットスティックを確実に固定できるという効果を奏する。
【００２１】
第６の発明によれば、第１の発明乃至第４の発明のいずれかの発明の効果に加え、太さの異なる複数種類の電柱に対してもホットスティックを確実に固定できるという効果を奏する。
【図面の簡単な説明】
【００２２】
【図１】本発明の実施の形態に係るホットスティック支持具の実施例１を示した外観斜視図である。
【図２】実施例１のホットスティック支持具を構成する取付手段の一部と角度調整部及び固定手段を拡大して示した正面図である。
【図３】（ａ）及び（ｂ）はそれぞれ実施例１のホットスティック支持具を構成する取付手段の正面図及び側面図である。
【図４】（ａ）及び（ｂ）は図２において固定手段及び取付手段の一部を拡大して示した断面図である。
【図５】（ａ）乃至（ｃ）は図２におけるＡ−Ａ線矢視断面図である。
【図６】本発明の実施の形態に係るホットスティック支持具の実施例２を示した外観斜視図である。
【発明を実施するための形態】
【００２３】
本発明のホットスティック支持具について図１乃至図６を用いて説明する。なお、実施例１では、電柱の腕金を例に挙げて説明しているが、実施例１で示したホットスティック支持具は、高所作業車のバケットやサブブームに対しても同様に取り付けることが可能である。
【実施例１】
【００２４】
図１は本発明のホットスティック支持具が電柱の腕金に取り付けられた状態の一例を示した図である。図２は図１において取付手段の一部と角度調整部及び固定手段を拡大して示した図であり、連結板を固定するボルトや把持部については図示を省略している。
また、図３（ａ）及び図３（ｂ）はそれぞれ図１に示したホットスティック支持具の取付手段を拡大して示した正面図及び側面図であり、図３（ａ）は図１において、把持部側から取付手段を見た図に相当する。
【００２５】
図４（ａ）及び図４（ｂ）は固定手段と取付手段の内部構造を説明するための図であり、２つの位置決め部材の中心軸を含み鉛直方向に平行な平面によって固定手段と取付手段の一部を切断した状態を示している。また、図５（ａ）乃至図５（ｃ）は図２におけるＡ−Ａ線矢視断面図である。
なお、図４（ａ）と図５（ａ）及び図５（ｃ）は位置決め部材の先端が接続具の位置決め孔に挿通された状態を示し、図４（ｂ）及び図５（ｂ）は位置決め部材の先端が接続具の位置決め孔から引き抜かれた状態を示している。また、図４（ａ）と図４（ｂ）は図５（ａ）と図５（ｂ）にそれぞれ対応し、図５（ｃ）は図５（ａ）において支柱を接続具に対して９０度回転させた状態を示している。
【００２６】
図１乃至図３に示すように、本発明のホットスティック支持具１ａは、所定の姿勢を維持した状態でホットスティック５０を支持可能に形成される保持手段２と、高所作業車のバケット（図示せず）や電柱の腕金５１に対して着脱自在に取り付けられる取付手段３ａと、保持手段２と取付手段３を連結する固定手段４を備えている。
【００２７】
保持手段２は、ホットスティック５０を把持可能に形成される把持部５と、把持部５に連結される角度調整部６からなる。
把持部５は、ボールジョイント７のスタッド８に連結された固定把持片９と、固定把持片９に穿設された挿通孔に先端部を摺動自在に挿通されたガイド部材１０と、固定把持片９と平行をなすようにガイド部材１０の先端部に取り付けられた可動把持片１１と、ガイド部材１０に挿通されて可動把持片１１を固定把持片９から遠ざける方向へ付勢するスプリング（図示せず）と、固定把持片９と可動把持片１１の間隔を変化させるハンドル１２を備えている。
【００２８】
角度調整部６は、ボールジョイント７を回転不能に固定するハンドル１３と、このハンドル１３が設置されるとともに円筒状の支柱１５に固定された雲台１４を有している。また、ボールジョイント７は、スタッド付きボール１６と、このスタッド付きボール１６を回転自在に保持するボール受部（図示せず）を有しており、雲台１４は、スタッド付きボール１６のボール部に対し、その動きを止めるように押し付けられる押付部材（図示せず）を内蔵している。そして、角度調整部６は、ハンドル１３を所定の方向へ回動させると、押付部材がスタッド付きボール１６のボール部（図示せず）に押し付けられて、ボールジョイント７が回転不能に固定されるとともに、ハンドル１３を逆の方向へ回動させると、押付部材がスタッド付きボール１６のボール部から離れることにより、ボールジョイント７が回転可能となるように構成されている。
すなわち、ホットスティック支持具１ａでは、ホットスティック５０を所望の姿勢のままで電柱の腕金５１に固定できるため、取り付け箇所に対する制約が少ない。
【００２９】
取付手段３ａは、側面視略「コ」の字状をなし、所定の間隔をあけて平行に配置されるとともに、上面に設置された連結板１７を介して互いに連結される一対の取付具１８，１８と、連結板１７の上面に固定される基台１９と、取付具１８，１８の間に掛け渡されるように、それらの前面に設置される支持板２０と、支持板２０の中心部に設けられたネジ孔に螺合するネジ軸２１と、先端面が平坦な円板であって、ネジ軸２１の先端に回動自在に取り付けられた状態で連結板１７の下方に配置されるパッド２２と、ネジ軸２１を回転可能に、その後端に取り付けられるハンドル２３によって構成されている。
したがって、ホットスティック支持具１ａにおいては、ハンドル２３を操作してパッド２２を移動させることにより、幅の異なる腕金５１に対しても安定した状態でホットスティック５０が固定されるという作用を有する。そのため、ホットスティック支持具１ａによれば、幅の異なる複数種類の腕金５１に対してもホットスティック５０を確実に固定することが可能となっている。
【００３０】
基台１９は、大径円板部２４ａと小径円板部２４ｂを有する円柱状の段付き部材２４と、小径円板部２４ｂの上面に立設された円筒状の接続具２５からなり、大径円板部２４ａと小径円板部２４ｂと接続具２５は、いずれも同心状に配置されている。なお、接続具２５は、その外径が小径円板部２４ｂの外径よりも小さくなるように形成され、大径円板部２４ａは、その外径が支柱１５の外径よりも大きくなるように形成されている。また、小径円板部２４ｂは、その外径が支柱１５の内径よりもわずかに小さく形成されている。すなわち、基台１９は、小径円板部２４ｂに外挿された支柱１５を回動可能に保持するという機能を有している。
【００３１】
図４及び図５に示すように、接続具２５の側面には、９０度ごとに４つの位置決め孔２５ａが設けられており、支柱１５の側面には、小径円板部２４ｂに外挿された状態で接続具２５の２つの位置決め孔２５ａとそれぞれ連通するように２つの貫通孔１５ａが直径方向に設けられている。そして、この２つの貫通孔１５ａには棒状の位置決め部材２６が抜出自在にそれぞれ挿設されている。
【００３２】
位置決め部材２６は、基端に円板状の把持部が設けられるとともに、先端に大径部が形成されており、大径部と把持部の間には、大径部や把持部よりも外径が小さい小径部が形成されている。また、支柱１５の貫通孔１５ａに対しては、位置決め部材２６の小径部のみが挿通可能となっており、接続具２５の位置決め孔２５ａに対しては、位置決め部材２６の大径部も挿通可能となっている。そして、位置決め部材２６の小径部には、外径が支柱１５の貫通孔１５ａよりも大きく、内径が大径部の外径よりも小さい圧縮バネ２７が外挿されている。
すなわち、位置決め部材２６と圧縮バネ２７は、保持手段２と取付手段３を連結する固定手段４を構成している。そして、位置決め部材２６は、接続具２５の位置決め孔２５ａに対して先端を抜出自在に、小径部が支柱１５の貫通孔１５ａによって保持されるとともに、圧縮バネ２７によって支柱１５の中心軸の方向へ常に付勢されている。
【００３３】
上記構造を有するホットスティック支持具１ａにおいては、接続具２５と干渉しないように位置決め部材２６を支柱１５の貫通孔１５ａから引き出した状態で接続具２５が内挿されるように支柱１５を設置した後、図４（ａ）又は図５（ａ）に示すように、貫通孔１５ａと位置決め孔２５ａが連通した状態で位置決め部材２６を貫通孔１５ａと位置決め孔２５ａに挿通させると、支柱１５が接続具２５に連結される。
また、この状態で、図５（ａ）に矢印で示すように、位置決め部材２６の先端を位置決め孔２５ａから引き抜くと、支柱１５と接続具２５の連結状態が解除される。そこで、図５（ｂ）に矢印で示すように、支柱１５を接続具２５の周りに回転させると、貫通孔１５ａと位置決め孔２５ａが連通した時点で、位置決め部材２６が圧縮バネ２７の作用によって支柱１５の中心軸に向かって移動する。その結果、図５（ｃ）に示すように、位置決め部材２６の先端が位置決め孔２５ａに挿通されて支柱１５が接続具２５に連結される。なお、支柱１５は、図５（ｃ）に示した状態から、接続具２５に対してさらに９０度又は１８０度回転させた場合にも、それぞれ接続具２５に連結可能となっている。
【００３４】
すなわち、ホットスティック支持具１ａにおいては、位置決め部材２６を介して支柱１５と接続具２５に連結される状態が４通り存在する。したがって、取付手段３ａを腕金５１に固定した後であっても、鉛直方向に対する傾きは変えずにホットスティック５０を支柱１５の中心軸の周りに９０度ずつ容易に回転させることができる。そのため、ホットスティック支持具１ａでは、取り付け箇所に対する制約が少ない。
【００３５】
このように、ホットスティック支持具１ａでは、ホットスティック５０の保持手段２と取付手段３ａの連結及びその連結状態の解除が容易であり、電柱の腕金５１にホットスティック５０を固定した後に、ホットスティック５０を一時的に移動させる必要が生じた場合でも、それらの固定状態を容易に解除できるため、その作業を効率よく行うことができる。
【実施例２】
【００３６】
図６は本発明のホットスティック支持具が電柱の側面に対して固定された状態の一例を示した図である。なお、図１乃至図５に示した構成要素については、同一の符号を附して、その説明を省略する。
図６に示すように、ホットスティック支持具１ｂは、実施例１のホットスティック支持具１ａにおいて、取付手段３ａの代わりに、電柱５２に対して着脱可能に取り付けられる取付手段３ｂを備えたことを特徴とする。
【００３７】
取付手段３ｂは、布製の固定ベルト２８と、この固定ベルト２８の端部を保持して電柱５２の側面５２ａに巻回される部分の長さを調節するベルト巻取部２９と電柱５２の側面５２ａへの当接部３０が端部に設けられるとともに基台１９が上面に固定されたベース部材３１と、このベース部材３１の下方において電柱５２の側面５２ａへ当接可能に設置されたローラ３２と、このローラ３２を回転自在に保持する当接具３３と、一端に当接具３３が連結されるとともに他端が揺動可能にベース部材３１に連結された連結部材３４と、ベース部材３１から連結部材３４を吊り下げるようにして保持する吊りチェーン３５を備えている。
【００３８】
このような構造のホットスティック支持具１ｂにおいては、ベルト巻取部２９で固定ベルト２８が電柱５２の側面５２ａに巻回される部分の長さを調節することにより、太さの異なる電柱５２に対しても安定した状態でホットスティック５０が固定されるという作用を有する。そのため、ホットスティック支持具１ｂによれば、太さの異なる複数種類の電柱５２に対してもホットスティック５０を確実に固定することが可能となっている。
【００３９】
なお、本発明のホットスティック支持具は、実施例１や実施例２に示した構造に限定されるものではない。例えば、接続具２５は円筒状に限らず、円柱状であっても良く、位置決め孔２５ａは貫通孔である必要はなく、有底孔であっても良い。また、圧縮バネ２７については、少なくとも位置決め部材２６を支柱１５の中心軸へ向かう方向へ付勢する作用を有するものであれば良いことから、例えば、圧縮バネ２７の代わりに引っ張りバネを用いることもできる。
【００４０】
さらに、支柱１５の貫通孔１５ａや接続具２５の位置決め孔２５ａの個数は本実施例に示したものに限らず、適宜変更可能である。すなわち、接続具２５は、側面に複数の位置決め孔２５ａが等角度間隔ごとに設けられた構造であっても良い。ただし、貫通孔１５ａの個数は位置決め孔２５ａの個数以下とし、位置決め孔２５ａは、支柱１５に接続具２５が内挿された際に、各貫通孔１５ａに挿設された全ての位置決め部材２６の先端を同時に挿通可能な位置に設けられることが必要である。
【産業上の利用可能性】
【００４１】
本発明は、高所作業車のバケットや電柱に対してホットスティックを一時的に固定する際に利用可能である。
【符号の説明】
【００４２】
１ａ，１ｂ…ホットスティック支持具  ２…保持手段  ３ａ，３ｂ…取付手段  ４…固定手段  ５…把持部  ６…角度調整部  ７…ボールジョイント  ８…スタッド  ９…固定把持片  １０…ガイド部材  １１…可動把持片  １２，１３…ハンドル  １４…雲台  １５…支柱  １５ａ…貫通孔  １６…スタッド付きボール  １７…連結板  １８…取付具  １９…基台  ２０…支持板  ２１…ネジ軸  ２２…パッド  ２３…ハンドル  ２４…段付き部材  ２４ａ…大径円板部  ２４ｂ…小径円板部  ２５…接続具  ２５ａ…位置決め孔  ２６…位置決め部材  ２７…圧縮バネ  ２８…固定ベルト  ２９…ベルト巻取部  ３０…当接部  ３１…ベース部材  ３２…ローラ  ３３…連結具  ３４…連結部材  ３５…吊りチェーン  ５０…ホットスティック  ５１…腕金  ５２…電柱  ５２ａ…側面  
【図１】
2019080466.tif 000003
【図２】
2019080466.tif 000004
【図３】
2019080466.tif 000005
【図４】
2019080466.tif 000006
【図５】
2019080466.tif 000007
【図６】
2019080466.tif 000008